(57)【要約】【課題】従来より知られているポニーテールタイプの付け毛は、地毛への取付けの作業が困難という問題がある。【解決手段】本発明の付け毛は、幅方向開口部を持つ、弾力性を有するリング状体を備えた取付け体と、この取付け体の内側に設けられた、地毛を纏めて束にしたヘアバンドに引っかけるためのクリップと、人工毛髪等の髪と、この髪の一端部を固定した支持体とを備え、この支持体を上記リング状体の内側に、少なくとも上記幅方向開口部を除いた部分に取付け、上記髪を上記リング状体の下方に垂らすようにしたことを特徴とする。【選択図】図７
2014040691.tif 000002
【特許請求の範囲】
【請求項１】
幅方向開口部を持つ、弾力性を有するリング状体を備えた取付け体と、この取付け体の内側に設けられた、地毛を纏めて束にしたヘアバンドに引っかけるためのクリップと、人工毛髪等の髪と、この髪の一端部を固定した支持体とを備え、この支持体を上記リング状体の内側に、少なくとも上記幅方向開口部を除いた部分に取付け、上記髪を上記リング状体の下方に垂らすようにしたことを特徴とする付け毛。
【請求項２】
上記リング状体をカバーで覆って上記取付け体とし、このカバーに上記クリップ及び上記支持体を取付けたことを特徴とする請求項１記載の付け毛。
【請求項３】
上記カバーに髪飾りを取付けたことを特徴とする請求項２に記載の付け毛。
【請求項４】
上記取付け体の表面に少なくとも上記幅方向開口部を除き面ファスナー等の結合部の一方を取付け、髪飾りの裏面に上記結合具の一方と結合することができる上記結合具の他方を取付け、上記髪飾りで上記取付け体を着脱自在に覆うことを特徴とする請求項１記載の付け毛。
【請求項５】
幅方向開口部を持つ、弾力性を有するリング状体を備えた取付け体と、この取付け体の内側に設けられた、地毛を纏めて束にしたヘアバンドに引っかけるためのクリップと、上記取付け体の内側であって、少なくとも上記幅方向開口部を除く部分に取付けられた面ファスナー等の結合具の一方と、人工毛髪等の髪の一端を取付けた支持体と、この支持体に取付けられ、上記結合具の一方と結合される結合具の他方とを備えたことを特徴とする付け毛。
【請求項６】
幅方向開口部を持つ、弾力性を有するリング状体を備えた取付け体と、この取付け体の内側に設けられた、地毛を纏めて束にしたヘアバンドに引っかけるためのクリップと、上記取付け体の内側であって、少なくとも上記幅方向開口部を除く部分に取付けられ、人工毛髪等の髪の一端を取付けた支持体に設けられた面ファスナー等の結合具と結合される結合具を備えたことを特徴とする付け毛取付け具。
【発明の詳細な説明】
【技術分野】
【０００１】  本発明は、ポニーテールタイプの付け毛及び付け毛取付け具に関するものである。
【背景技術】
【０００２】  自分の頭髪をショートカットにしている女性は、結婚式の披露宴に出席する場合など、時としてロングヘアーにしたい場合がある。ロングヘアーにするための付け毛には種々の物が存在する。【０００３】  ポニーテールタイプの付け毛としては「マジックポニーテール」と称するポニーテールタイプの付け毛が知られている（楽天市場マジックポニーテール  ｈｔｔｐ：／／ｉｔｅｍ．ｒａｋｕｔｅｎ．ｃｏ．ｊｐ／ｌｉｎｅａ−ｓｔｏｒｉａ／１１５００３８／参照）。
【先行技術文献】
【０００４】
【非特許文献】
【非特許文献１】  ＷＥＢ：楽天市場マジックポニーテール  ｈｔｔｐ：／／ｉｔｅｍ．ｒａｋｕｔｅｎ．ｃｏ．ｊｐ／ｌｉｎｅａ−ｓｔｏｒｉａ／１１５００３８／
【発明の概要】
【発明が解決しようとする課題】
【０００５】  上記非特許文献に示されている付け毛は、取付け体に人工毛髪等の端部を取付け、この部分に面ファスナーも取付け、この面ファスナーの一方の先端に上記人工毛髪とは別に横方向に少ない束の人工毛髪をつけたものと推察される。【０００６】  この付け毛は次のようにして地毛に取り付けられる。地毛を纏めたヘアバンドに、上記取付け体に設けたクリップを引っかけ、上記面ファスナーを引っ張りながら、髪を一束に纏め、さらに横に出た少ない束の髪を巻いてピンで止めるようにして地毛への取付けが完成する。少ない束の髪は露出している面ファスナーを隠すためのものである。【０００７】  この付け毛は、自分の手を後ろに回した状態で、面ファスナーを引っ張りながら、髪を一束に纏め、さらに横に出た少ない束の髪を巻いてピンで止めることにより地毛への取付けがなされるので、作業を眼で確認しながらできないので、取付けが難しいと云う欠点がある。
本発明は、その欠点を解決し、容易に地毛に付け毛を取付けることができるポニーテールタイプの付け毛を提供することを目的とする。
【課題を解決するための手段】
【０００８】  本発明の付け毛は、幅方向開口部を持つ、弾力性を有するリング状体を備えた取付け体と、この取付け体の内側に設けられた、地毛を纏めて束にしたヘアバンドに引っかけるためのクリップと、人工毛髪等の髪と、この髪の一端部を固定した支持体とを備え、この支持体を上記リング状体の内側に、少なくとも上記幅方向開口部を除いた部分に取付け、上記髪を上記リング状体の下方に垂らすようにしたことを特徴とする。【０００９】  また、上記リング状体をカバーで覆って上記取付け体とし、このカバーに上記クリップ及び上記支持体を取付けたことを特徴とする。
また、上記カバーに髪飾りを取付けたことを特徴とする。
また、上記取付け体の表面に少なくとも上記幅方向開口部を除き面ファスナー等の結合部の一方を取付け、髪飾りの裏面に上記結合具の一方と結合することができる上記結合具の他方を取付け、上記髪飾りで上記取付け体を着脱自在に覆うことを特徴とする。【０００１０】  また、幅方向開口部を持つ、弾力性を有するリング状体を備えた取付け体と、この取付け体の内側に設けられた、地毛を纏めて束にしたヘアバンドに引っかけるためのクリップと、上記取付け体の内側であって、少なくとも上記幅方向開口部を除く部分に取付けられた面ファスナー等の結合具の一方と、人工毛髪等の髪の一端を取付けた支持体と、この支持体に取付けられ、上記結合具の一方と結合される結合具の他方とを備えたことを特徴とする。【０００１１】  さらに、本発明の付け毛取付け具は、幅方向開口部を持つ、弾力性を有するリング状体を備えた取付け体と、この取付け体の内側に設けられた、地毛を纏めて束にしたヘアバンドに引っかけるためのクリップと、上記取付け体の内側であって、少なくとも上記幅方向開口部を除く部分に取付けられ、人工毛髪等の髪の一端を取付けた支持体に設けられた面ファスナー等の結合具と結合される結合具を備えたことを特徴とする。
【発明の効果】
【００１２】  以上のように、本発明の付け毛は、ショートカットの女性の地毛をヘアバンドで纏めて束とし、リング状の取付け体を開いて上記束を覆うと供に、取付け体のクリップを上記ヘアバンドに引っかけるだけで良いので、ポニーテールタイプの髪を容易に取付けることができる。【００１３】  また、リング状体を覆っているカバーを布等で作り、これにクリップと人工毛髪等の髪を支持している支持体を取付けるようにしておけば、付け毛の製作も容易である。【００１４】  また、カバーに髪飾りを容易に取付けることもでき、髪飾りを取りかえることも容易である。特に、取付け体に例えば面ファスナーを設け、髪飾りにも面ファスナーを設けて結合すれば、取付け体全体を髪飾りで覆うこともでき、しかも種々の髪飾りを使用することができる。【００１５】  さらに、本発明の付け毛及び付け毛取付け具によれば、取付け体の内側に例えば面ファスナーを設け、髪を支持する支持体にも面ファスナーを設け、両者を着脱自在にして使用するようにすれば、支持体に種々のタイプのポニーテール、例えばストレートのもの、ウェーブしたもの、長めのもの、短めのもの等を用意しておけば、一つの付け毛取付け具で種々のポニーテールタイプの付け毛を利用することができる。
【図面の簡単な説明】
【００１６】
【図１】  本発明の実施の形態に係る付け毛に使用するリング状体の斜視図である。
【図２】  同カバーの斜視図である。
【図３】  同髪取付体の斜視図である。
【図４】  同クリップの斜視図である。
【図５】  同髪を取付けた状態を示す支持体の斜視図である。
【図６】  同付け毛の組立状態を示す平面図である。
【図７】  同付け毛の斜視図である。
【図８】  同付け毛の斜視図である。
【図９】  同付け毛の断側面図である
【図１０】  同付け毛を取付ける前の状態を示す頭部の斜視図である。
【図１１】  同付け毛を頭部に取付けた状態を示す斜視図である。
【図１２】  同他の実施例における付け毛の斜視図である。
【図１３】  同付け毛に取付ける髪飾りの裏面図である。
【図１４】  同髪飾りをつけた付け毛の斜視図である。
【図１５】  同さらに他の実施例における髪を取付けた状態を示す支持具の裏面図である。
【図１６】  同髪の部分を取付ける付け毛取付け具の裏面図である。
【発明を実施するための形態】
【実施例】
【００１７】  以下、本発明の実施の形態について図面とともに説明する。
図１、図２、図３、図４に示すものは、本発明の実施例の付け毛に必要とする部品の斜視図であり、図示していないがこの他に人工毛髪又は人毛等の髪が必要である。【００１８】  図１に示すものは、金属板等の弾力性のある素材をリング状にしたリング状体１である。このリング状体１は完全なリングではなく、開けられるように幅方向開口部２が存在する。リング状体１は金属で無くてもよく、弾力性のある樹脂でも良い。
図２に示すものは、上記リング状体１を覆うカバー３であり、布を加工して作られる。単純な形状にして示してあるが、周りに飾りをつけるようにしてもよい。一端部に開口部４が設けられている。【００１９】  図３に示すものは、人工毛髪や人毛等の髪を固定する支持体５の斜視図である。この支持体５は布や網等のシートで構成されており、芯となる第１シート５ａとこの第１シート５ａを覆う第２シート５ｂで構成されている。
図４に示すものは、クリップ６であり、針金を曲げ加工して作られたものである。【００２０】  次に、図１〜図４に示す部品に人工毛髪を加え、本発明の一実施例の付け毛の構成を説明する。まず、図５に示すように、第１シート５ａに髪７の束をＵ字状にして被せる、これを第２シート５ｂで覆う。その後、第２シート５ｂの表から糸８を用いて第１シート５ａを通り、第２シート５ｂの裏まで縫い付ける。
このようにすれば、髪７をしっかりと支持体５に固定することができる。【００２１】  この例では髪７をＵ字状にしているので、髪７の中間部を固定していることになるが、この状態も髪７の一端を取付けると云うことに含まれるものとする。
勿論髪７の取付け手段は種々のものがあり、例えば、髪７の一端を接着材で支持体５に取付けるようにしてもよい。
また、図６に示すように、カバー３の中央部の髪７をその周囲に比較して密度を大きくしておくとよい。【００２２】  図６に示すように、カバー３の中央部上方に図４に示すクリップ６を糸で縫い付ける等の方法で取付ける。同時に髪７を取付けた支持体５をカバー３に糸で縫い付ける方法等で取付ける。この場合、クリップ６の上面は支持体５より一定の間隔をおいて上方に来るように設定される。
図２に示すカバー３の開口部４からリング状体１を挿入する。すると、リング状体１はカバー３で覆われ、カバー３の開口部４はその後閉じられ、図７に示す取付け体９となる。支持体５は幅方向開口部２を覆わないように、少なくとも幅方向開口部２を除いた部分に取付けられる。【００２３】  なお、取付け体９は支持体５、クリップ６を除いたものを云う。つまり、カバー３でリング状体１を覆ったものを云う。支持体５とクリップ６を取付けやすくするため、また、意匠的な観点からカバー３でリング状体１を覆うようにし、カバー３に支持体５とクリップ６を取り行けるようにしたが、リング状体１を取付け体９そのものとし、接着材で支持体５、クリップ６をリング状体１に取付けるようにしても良い。【００２４】  リング状体１は図１では両端部が重なりを持つように構成されているが、突き合わせ状態の完全なリングでも良く、さらには、少し隙間ができる状態でも良い。隙間が余り大きいと、この隙間から髪が出てくることがあり、好ましくない。【００２５】  図７は完成した付け毛を示しており、図８に示すように髪飾１０を取付けて使用する。髪７はポニーテールとなり取付け体９の下方に垂らされる。
この付け毛は図９、図１０に示すように、地毛１１をヘアバンド１２で束ね、図９、図１１に示すように付け毛の取付け体９を幅方向開口部２から開いて、ヘアバンド１２で束ねた地毛１１を覆い、同時にクリップ６をヘアバンド１２に引っかける。取付け体９を閉じると取付けは完成する。このように付け毛の取付けは極めて簡単である。
地毛を左右に合計２か所ヘアバンドで束ね、ここに本発明の付け毛を一つずつ取付けるようにして用いることもできる。【００２６】  図１２〜図１３は本発明の他の実施例を示すものである。先に示した実施例と同一部分には同一番号を付し説明は省略する。
図１２に示すように、取付け体９の表面の少なくとも幅方向開口部２の部分を除いて面ファスナーの一方１３を取付ける。次に、図１３に示すように帯状の髪飾１４の裏面に面ファスナーの他方１５を取付ける。面ファスナーの一方１３と他方１５を結合して帯状髪飾１４を取付け体９に取付ける。【００２７】  面ファスナーの替わりにボタンとボタンホールの組など他の結合具を用いても良い。
帯状髪飾１４は取付け体９に着脱自在であるので、種々の帯状髪飾りを用意すれば、時と場合により変化に富んだ使用ができる。【００２８】  図１５、図１６は本発明のさらに他の実施例を示すものである。先に示した実施例と同一部分には同一番号を付し説明は省略する。
図１５に示すように支持体５の裏面に面ファスナーの一方１６が取付けられる。そして、取付け体９の内側にはクリップ６と面ファスナーの他方１７を取付ける。この図１５に示すものは付け毛取付け具１８となる。
面ファスナーの他方１７は幅方向開口部２を覆わないように少なくとも幅方向開口部を除いた部分に取付けられる。【００２９】  面ファスナーの一方１６と他方１７を結合することにより、取付け体９に支持体５を着脱自在とすることができる。従って、支持体５に種々のタイプの髪７を取付けたものを用意すれば、一つの付け毛取付け具１８で種々の使用が可能となる。種々のタイプの髪とは、例えばストレートのもの、ウェーブしたもの、長めのもの、短めのもの等であり、種々のポニーテールタイプの付け毛を用いることができる。
【産業上の利用可能性】
【００３０】  本発明は、ポニーテールタイプの付け毛として利用できるものである。
【符号の説明】
【００３１】  １：リング状体
２：幅方向開口部
３：カバー
４：開口部
５：支持体
６：クリップ
７：髪
８：糸
９：取付け体
１０：髪飾り
１１：地毛
１２：ヘアバンド
１３：面ファスナーの一方
１４：帯状髪飾
１５：面ファスナーの他方
１６：面ファスナーの一方
１７：面ファスナーの他方
１８：付け毛取付け具
【図１】
2014040691.tif 000003
【図２】
2014040691.tif 000004
【図３】
2014040691.tif 000005
【図４】
2014040691.tif 000006
【図５】
2014040691.tif 000007
【図６】
2014040691.tif 000008
【図７】
2014040691.tif 000009
【図８】
2014040691.tif 000010
【図９】
2014040691.tif 000011
【図１０】
2014040691.tif 000012
【図１１】
2014040691.tif 000013
【図１２】
2014040691.tif 000014
【図１３】
2014040691.tif 000015
【図１４】
2014040691.tif 000016
【図１５】
2014040691.tif 000017
【図１６】
2014040691.tif 000018